(57)【要約】【課題】  眼鏡を安全に収容することができるシートバックポケットを提供する。【解決手段】  シートバックポケット５は、ポケット本体６と、ポケット本体６内に収容された収容部材７とを備えている。この収容部材７は、表皮４３に面接した基準壁８と、基準壁８の左右側に一端側が結合して他端側がシート材６１を基準壁８から離間する方向（後方側）へ押し曲げた一対の側壁９、９とから構成されており、シート材６１との間に眼鏡１０を収容可能な空間Ｓを形成している。【選択図】    図４
2005204818.tif 000002
【特許請求の範囲】
【請求項１】
車両のシートバックの後面に設けられたポケット本体と、このポケット本体内に収容された収容部材とを備え、
前記ポケット本体は、前記シートバックの後面を構成する可撓性の表皮と、この表皮に左右側および下側が固定された可撓性のシート材とにより上側が開口するように形成されている一方、
前記収容部材は、前記表皮または前記シート材のいずれか一方に面接した基準壁と、この基準壁の左右側に一端側が結合して他端側が前記表皮または前記シート材のいずれか他方を前記基準壁から離間する方向へ押し曲げた一対の側壁とを備え、前記表皮または前記シート材のいずれか他方との間に眼鏡を収容可能な空間を形成していることを特徴とするシートバックポケット。
【請求項２】
前記収容部材は、少なくとも前記基準壁の下側に一端側が結合して前記空間の下側を塞ぐ底壁を備えたことを特徴とする請求項１記載のシートバックポケット。
【請求項３】
前記収容部材は、前記ポケット本体内に嵌め込んで収容されるとともに、前記ポケット本体内に収容された状態で前記シート材の上縁に係止する係止手段を備えたことを特徴とする請求項１または２記載のシートバックポケット。
【請求項４】
前記収容部材は、前記基準壁が、前記表皮または前記シート材のいずれか一方に固定されたことを特徴とする請求項１または２記載のシートバックポケット。
【請求項５】
前記収容部材は、前記基準壁に一端側が結合して前記表皮または前記シート材のいずれか他方とで前記空間を形成する全ての壁が、前記基準壁との結合部で前記基準壁に対して折り曲げ可能に設けられたことを特徴とする請求項１から４のいずれか１項に記載のシートバックポケット。
【発明の詳細な説明】
【技術分野】
【０００１】
本発明は、車両のシートバックに設けられたシートバックポケットに関する。
【背景技術】
【０００２】
従来、車両のシートバックの後面には、一般的に物品を収容するシートバックポケットが設けられている。このシートバックポケットは、シートバックの後面を構成する可撓性の表皮と、この表皮に左右側および下側が縫い付けられて固定された可撓性のシート材とにより上側が開口するように形成されている。
【０００３】
またシートバックポケットの中には、内部をさらにシート材によって前後に分割したものが提案されている（特許文献１参照）。このようなシートバックポケットにおいては、複数の物品を前側のポケットと後側のポケットに分けて収容することにより物品を整然と収容することが可能となっている。
【特許文献１】特開２０００−１０８７９５号公報
【発明の開示】
【発明が解決しようとする課題】
【０００４】
しかしながら、このようなシートバックポケットでは、シート材の上縁につるを引っ掛けて眼鏡をポケット内に収容した場合に、乗員の膝等がシート材に接触すると、眼鏡が動いてポケット内に収容されている他の物品にあたって傷ついたりレンズが割れてしまうおそれがある。したがって、眼鏡を安全に収容することが難しかった。
【０００５】
本発明は、かかる従来の課題に鑑みてなされたものであり、眼鏡を安全に収容することができるシートバックポケットを提供することを目的とする。
【課題を解決するための手段】
【０００６】
前記課題を解決するために本発明の請求項１記載のシートバックポケットにおいては、車両のシートバックの後面に設けられたポケット本体と、このポケット本体内に収容された収容部材とを備え、前記ポケット本体は、前記シートバックの後面を構成する可撓性の表皮と、この表皮に左右側および下側が固定された可撓性のシート材とにより上側が開口するように形成されている一方、前記収容部材は、前記表皮または前記シート材のいずれか一方に面接した基準壁と、この基準壁の左右側に一端側が結合して他端側が前記表皮または前記シート材のいずれか他方を前記基準壁から離間する方向へ押し曲げた一対の側壁とを備え、前記表皮または前記シート材のいずれか他方との間に眼鏡を収容可能な空間を形成しているものとしている。
【０００７】
かかる構成においては、ポケット本体のシート材の上縁または収容部材の基準壁の上縁に一方のつるを引っ掛けて眼鏡を空間内に収容することにより、眼鏡を収容部材で保護することができる。このため、乗員の膝等がシート材に接触しても、ポケット本体内に収容されている他の物品に眼鏡があたって傷ついたりレンズが割れてしまうおそれがない。
【０００８】
また、請求項２記載のシートバックポケットにおいては、前記収容部材は、少なくとも前記基準壁の下側に一端側が結合して前記空間の下側を塞ぐ底壁を備えたものとしている。
【０００９】
かかる構成においては、シート材や基準壁に引っ掛けることができない眼鏡以外のつぶれては困るような物品も底壁に載置して空間内に収容することにより収容部材で保護することができる。
【００１０】
また、請求項３記載のシートバックポケットにおいては、前記収容部材は、前記ポケット本体内に嵌め込んで収容されるとともに、前記ポケット本体内に収容された状態で前記シート材の上縁に係止する係止手段を備えたものとしている。
【００１１】
かかる構成においては、乗員の膝等がシート材に接触しても収容部材がポケット本体内の奥に入ってしまうのを防ぐことができる。
【００１２】
また、請求項４記載のシートバックポケットにおいては、前記収容部材は、前記基準壁が、前記表皮または前記シート材のいずれか一方に固定されたものとしている。
【００１３】
かかる構成においては、収容部材がポケット本体内でぐらついてしまうのを抑えることができる。
【００１４】
また、請求項５記載のシートバックポケットにおいては、前記収容部材は、前記基準壁に一端側が結合して前記表皮または前記シート材のいずれか他方とで前記空間を形成する全ての壁が、前記基準壁との結合部で前記基準壁に対して折り曲げ可能に設けられたものとしている。
【００１５】
かかる構成において非使用時には、基準壁以外の壁を折り曲げておくことによりポケット本体の膨らみを抑えることができる。
【発明の効果】
【００１６】
本発明の請求項１記載のシートバックポケットにおいては、ポケット本体のシート材の上縁または収容部材の基準壁の上縁に一方のつるを引っ掛けて眼鏡を空間内に収容することにより、眼鏡を収容部材で保護することができる。このため、乗員の膝等がシート材に接触しても、ポケット本体内に収容されている他の物品に眼鏡があたって傷ついたりレンズが割れてしまうおそれがない。よって、眼鏡を安全に収容することができる。
【００１７】
また請求項２記載のシートバックポケットにおいては、シート材や基準壁に引っ掛けることができない眼鏡以外のつぶれては困るような物品も底壁に載置して空間内に収容することにより収容部材で保護できるため、安全に収容することができる。よって、汎用性を高めることができる。
【００１８】
また請求項３記載のシートバックポケットにおいては、乗員の膝等がシート材に接触しても収容部材がポケット本体内の奥に入ってしまうのを防ぐことができる。よって、眼鏡をさらに安全に収容することができる。
【００１９】
また請求項４記載のシートバックポケットにおいては、収容部材がポケット本体内でぐらついてしまうのを抑えることができる。よって、眼鏡をさらに安全に収容することができる。
【００２０】
また請求項５記載のシートバックポケットにおいては、非使用時には、基準壁以外の壁を折り曲げておくことによりポケット本体の膨らみを抑えることができる。よって、シートバックポケットの非使用時における見栄えの低下を抑えることができる。
【発明を実施するための最良の形態】
【００２１】
本発明をより詳細に説明するために、以下添付図面に従ってこれを説明する。
【００２２】
図１は、本発明の第１の実施の形態を示す車両用シート１の要部縦断面図である。この車両用シート１は、シートクッション２と、シートクッション２の後端部２１に設けられたシートバック４と、シートバック４の後面４ａに設けられた本発明のシートバックポケット５とから構成されている。
【００２３】
シートバック４は、バックフレーム４１と、バックフレーム４１に取り付けられたバックパッド４２と、バックパッド４２を覆って取り付けられた表皮４３とから構成されている。
【００２４】
バックフレーム４１は金属製であって略ロ字状に形成されており、前側には左右のバックフレーム４１間に張り渡されたバネ４１１が上下方向に複数設けられている。
【００２５】
またバックパッド４２はウレタン樹脂等の発泡体から形成されており、バックフレーム４１の後側の中間部分を除いてバックフレーム４１に巻き付けて取り付けられている。
【００２６】
また表皮４３は合成樹脂や布材から形成されて可撓性を有しており、ぴんと張られた状態でバックパッド４２を覆って取り付けられている。
【００２７】
そしてシートバックポケット５は、シートバック４の後面４ａにおいて下部に設けられたポケット本体６と、図２に示すようにポケット本体６内に嵌め込んで収容された収容部材７とを備えている。
【００２８】
さらにポケット本体６は、シートバック４の後面４ａを構成する表皮４３と、表皮４３に固定されたシート材６１とから構成されている。このシート材６１は合成樹脂や布材によって形成されて可撓性を有しており、上端部６２が内側へ折り返されて折り返されていない一般部６３に縫い付けられている。
【００２９】
さらに、シート材６１は下端部６４も内側へ折り返されており、シート材６１全体がぴんと張られた状態で、下端部６４と左右両縁（図示せず）が表皮４３に縫い付けられて固定されている。したがってポケット本体６は、上側が開口するように形成されている。
【００３０】
具体的に説明すると、ポケット本体６は合成樹脂や布材からなる表皮４３とシート材６１がぴんと張られているために、シート材６１の上端部を持って後方へ引っ張るとバックパッド４２が圧縮されてポケット本体６の上端部が前後方向に開き、シート材６１の上端部を放すと圧縮されていたバックパッド４２が元に戻ってポケット本体６の上端部が閉じるように形成されている。
【００３１】
一方、収容部材７は合成樹脂によって図３に示すように後方側へ向いた横断面略コ字状に一体形成されており、表皮４３に面接した基準壁８と、基準壁８の左右側に一端側が結合して他端側がシート材６１を基準壁８から離間する方向（後方側）へ押し曲げた一対の側壁９、９とから構成されている。そしてこの収容部材７はシート材６１との間に眼鏡１０を収容可能な空間Ｓを形成している。
【００３２】
基準壁８はポケット本体６の左右方向Ａに延在した矩形状に形成されている一方、両側壁９、９はポケット本体６の前後方向Ｂに延在するとともに後方側へ向いた逆Ｌ字状に形成されている。これによって両側壁９、９の上部には後方へ突出した本発明の係止手段である突出部９１、９１が形成されている。この突出部９１、９１は、収容部材７がポケット本体６内に収容された状態でシート材６１の上縁６５に係止されている。
【００３３】
かかる構成において、ポケット本体６のシート材６１の上縁６５に一方のつる１１を引っ掛けて眼鏡１０を空間Ｓ内に収容することにより、眼鏡１０を収容部材７で保護することができる。このため、乗員の膝等がシート材６１に接触しても、ポケット本体６内に収容されている他の物品に眼鏡１０があたって傷ついたりレンズ１２が割れてしまうおそれがない。よって、本実施の形態のシートバックポケット５においては、眼鏡１０を安全に収容することができる。
【００３４】
また収容部材７は、突出部９１がシート材６１の上縁６５に係止されていることから、乗員の膝等がシート材に接触しても収容部材７がポケット本体６内の奥に入ってしまうのを防ぐことができる。よって、本実施の形態のシートバックポケット５においては眼鏡１０をさらに安全に収容することができる。
【００３５】
なお本実施の形態のシートバックポケット５では、シート材６１の上縁６５に係止する係止手段として収容部材７に後方へ直線状に突出する突出部９１を設けたが、突出部９１の形状はこれに限定されることはなく、例えば第２の実施の形態として図４に示すシートバックポケット１０５の突出部１９１のようにしても良い。なお、第１の実施の形態と同様の部分には同じ符号を付している。
【００３６】
具体的に説明すると、このシートバックポケット１０５は合成樹脂製や布材によって形成されており、ポケット本体６と、ポケット本体６内に嵌め込んで収容された収容部材１０７とを備えている。
【００３７】
この収容部材１０７は、後方側へ向いた横断面略コ字状に一体形成されており、表皮４３に面接した基準壁１０８と、基準壁１０８の左右側に一端側が結合して他端側がシート材６１を基準壁１０８から離間する方向（後方側）へ押し曲げた一対の側壁１０９、１０９とから構成されている。そしてこの収容部材１０７はシート材６１との間に眼鏡１０（図３参照）を収容可能な空間Ｓを形成している。
【００３８】
基準壁１０８はポケット本体６の左右方向Ａに延在した矩形状に形成されている一方、両側壁１０９、１０９はポケット本体６の前後方向Ｂに延在するとともに後方側へ向いた逆Ｌ字状に形成されている。
【００３９】
そして両側壁１０９、１０９の上部には突出部１９１、１９１が設けられており、この突出部１９１は第１の実施の形態の突出部９１よりも先端部を下方に延ばして鉤状に形成されている。
【００４０】
この結果、収容部材１０７は第１の実施の形態の収容部材７よりもシート材６１の上縁６５に係止する範囲が広がるので、乗員の膝等がシート材に接触しても収容部材がポケット本体内の奥に入ってしまうおそれがさらに少なくなる。よって、本実施の形態のシートバックポケット１０５においては、眼鏡をさらに安全に収容することができる。
【００４１】
図５は本発明の第３の実施の形態を示すシートバックポケット２０５の斜視図である。なお、第１の実施の形態と同様の部分には同じ符号を付し、異なる部分を中心にして説明する。
【００４２】
このシートバックポケット２０５は合成樹脂や布材によって形成されており、ポケット本体６と、ポケット本体６内に嵌め込んで収容された収容部材２０７とを備えている。
【００４３】
この収容部材２０７は、シート材６１に面接した基準壁２０８と、基準壁２０８の左右側に一端側が結合して他端側が表皮４３を基準壁２０８から離間する方向（前方側）へ押し曲げた一対の側壁２０９、２０９と、基準壁２０８の下側と両側壁２０９、２０９の下側とに結合した底壁２１０とを備えており、表皮４３との間に眼鏡１０（図３参照）を収容可能な空間Ｓを形成している。
【００４４】
基準壁２０８はポケット本体６の左右方向Ａに延在した矩形状に形成されている一方、両側壁２０９、２０９はポケット本体６の前後方向Ｂに延在した矩形状に形成されている。また底壁２１０は、空間Ｓの下側を塞ぐようにポケット本体６の左右方向Ａに延在した矩形状に形成されている。
【００４５】
そして基準壁２０８の上部左右側には、両側壁２０９、２０９の後端と結合して後方へ突出した本発明の係止手段である直線状の突出部２８１、２８１が設けられており、この突出部２８１、２８１は収容部材２０７がポケット本体６内に収容された状態でシート材６１の上縁６５に係止されている。
【００４６】
かかる構成において、収容部材２０７の基準壁２０８の上縁２８２に一方のつる１１を引っ掛けて眼鏡１０を空間Ｓ内に収容するか、または底壁２１０に載置して眼鏡１０を空間Ｓ内に収容することにより、眼鏡１０を収容部材２０７で保護することができる。
【００４７】
このため、乗員の膝等がシート材６１に接触しても、眼鏡１０が傷ついたりレンズが割れてしまうおそれがない。よって、本実施の形態のシートバックポケット２０５においては、第１、第２の実施の形態のシートバックポケット５、１０５とは反対に基準壁２０８をシート材６１に面接して設けても眼鏡１０を安全に収容することができる。
【００４８】
また収容部材２０７は、突出部２８１、２８１がシート材６１の上縁６５に係止されていることから、乗員の膝等がシート材に接触しても収容部材２０７がポケット本体６内の奥に入ってしまうのを防ぐことができる。よって、本実施の形態のシートバックポケット２０５においては眼鏡１０をさらに安全に収容することができる。
【００４９】
また本実施の形態では、基準壁２０８に引っ掛けることができない眼鏡１０以外のつぶれては困る物品も、底壁２１０に載置して空間Ｓ内に収容することにより収容部材２０７で保護できるため、安全に収容することができる。よって、本実施の形態のシートバックポケット２０５においては汎用性を高めることができる。
【００５０】
なお本実施の形態では、収容部材２０７を底壁２１０を含めて構成したが、最小限の構成でシート材６１とにより眼鏡を囲むようにすれば良いので、第１の実施の形態や第２の実施の形態と同様に基準壁２０８と側壁２０９、２０９のみで構成しても良い。
【００５１】
図６は、本発明の第４の実施の形態を示す車両用シート３００の要部縦断面図である。なお、第１の実施の形態と同様の部分には同じ符号を付し、異なる部分を中心にして説明する。
【００５２】
この車両用シート３００のシートバック４には、後面４ａに本発明のシートバックポケット３０５が設けられている。このシートバックポケット３０５は合成樹脂や布材により形成されており、図７や図８に示すようにポケット本体６と、ポケット本体６内に収容された収容部材３０７とを中心にして構成されている。
【００５３】
この収容部材３０７は、表皮４３に面接した基準壁３０８と、基準壁３０８の左右側に一端側が結合して他端側がシート材６１を基準壁３０８から離間する方向（後方側）へ押し曲げた一対の側壁３０９、３０９と、基準壁３０８の下側に一端側が結合した底壁３１０とから構成されており、シート材６１との間に眼鏡１０を収容可能な空間Ｓを形成している。
【００５４】
基準壁３０８は、ポケット本体６の左右方向Ａに延在した矩形状に形成されており、図９に示すように表皮４３に面接した状態で表皮４３に縫い付けられて固定されている。
【００５５】
一方、両側壁３０９、３０９は、ポケット本体６の前後方向Ｂに延在した矩形状に形成されている。さらに両側壁３０９、３０９は、基準壁３０８との結合部３９１に全体にわたって切欠き３９２が設けられて他の部分よりも細くなっている。これによって両側壁３０９、３０９は、結合部３９１で基準壁３０８に対して折り曲げ可能に設けられている。
【００５６】
また底壁３１０は、空間Ｓの下側を塞ぐようにポケット本体６の左右方向Ａに延在した矩形状に形成されている。さらにこの底壁３１０は、基準壁３０８との結合部３１１に全体にわたって切欠き（図示せず）が設けられて他の部分よりも細くなっている。これによって底壁３１０は、結合部３１１で基準壁３０８に対して折り曲げ可能に設けられている。
【００５７】
一方、シート材６１には、収容部材３０７のすぐ下側に収容部材３０７の底壁３１０を係止する第一のストッパ突起３２０が設けられている。このストッパ突起３２０によって底壁３１０は、空間Ｓの下側を塞ぐように折り曲げられた状態で支持されており、この結果、収容部材３０７の形が維持されている。
【００５８】
また、表皮４３には、図１０にも示すように、収容部材３０７から所定間隔離れた左右側と下側とに第二のストッパ突起３３０がそれぞれ設けられている。このストッパ突起３３０は、図６、図１１や図１２に示すように、収容部材３０７の両側壁３０９、３０９と底壁３１０を展開した状態で係止するものである。
【００５９】
かかる構成において、図８に示すようにポケット本体６のシート材６１の上縁６５に一方のつる１１を引っ掛けて眼鏡１０を空間Ｓ内に収容しておくことにより、眼鏡１０を収容部材３０７で保護することができる。
【００６０】
このため、乗員の膝等がシート材６１に接触しても、ポケット本体６内に収容されている他の物品に眼鏡１０があたって傷ついたりレンズ１２が割れてしまうおそれがない。よって、本実施の形態のシートバックポケット３０５においても眼鏡１０を安全に収容することができる。
【００６１】
また収容部材３０７の基準壁３０８は表皮４３に固定されていることから、収容部材３０７がポケット本体６内でぐらついてしまうのを抑えることができる。よって、本実施の形態のシートバックポケット３０５においては、眼鏡１０をさらに安全に収容することができる。
【００６２】
また収容部材３０７において両側壁３０９、３０９と底壁３１０が基準壁３０８に対して折り曲げ可能に設けられていることから、シートバックポケット３０５の非使用時には、両側壁３０９、３０９と底壁３１０を折り曲げて展開しておくことによりポケット本体６の膨らみを抑えることができる。よって、シートバックポケット３０５の非使用時における見栄えの低下を抑えることができる。
【００６３】
また本実施の形態では、シート材６１に引っ掛けることができない眼鏡１０以外のつぶれては困るような物品も、底壁３１０に載置して空間Ｓ内に収容することにより収容部材３０７で保護できるため、安全に収容することができる。よって、本実施の形態のシートバックポケット３０５においては汎用性を高めることができる。
【００６４】
なお本実施の形態では、収容部材３０７を底壁３１０を含めて構成したが、最小限の構成でシート材６１とにより眼鏡１０を囲むようにすれば良いので、第１の実施の形態や第２の実施の形態と同様に基準壁３０８と側壁３０９、３０９のみで構成しても良い。
【００６５】
図１３は、本発明の第５の実施の形態を示すシートバックポケット４０５の斜視図である。なお、第１の実施の形態と同様の部分には同じ符号を付し、異なる部分を中心にして説明する。
【００６６】
このシートバックポケット４０５は合成樹脂や布材により形成されており、ポケット本体６と、ポケット本体６内に嵌め込んで収容された収容部材４０７とを備えている。
【００６７】
この収容部材４０７は、シート材６１に面接した基準壁４０８と、基準壁４０８の左右側に一端側が結合して他端側が表皮４３を基準壁４０８から離間する方向（前方側）へ押し曲げた一対の側壁４０９、４０９と、基準壁４０８の下側に一端側が結合した底壁４１０とを備えており、表皮４３との間に眼鏡１０（図３参照）を収容可能な空間Ｓを形成している。
【００６８】
基準壁４０８はポケット本体６の左右方向Ａに延在した矩形状に形成されている。そして基準壁４０８の上部左右側には、後方へ突出した本発明の係止手段である直線状の突出部４８１、４８１が設けられており、この突出部４８１、４８１は収容部材４０７がポケット本体６内に収容された状態でシート材６１の上縁６５に係止されている。
【００６９】
一方、両側壁４０９、４０９は、ポケット本体６の前後方向Ｂに延在した矩形状に形成されている。さらに両側壁４０９、４０９は、基準壁４０８との結合部４９１に全体にわたって切欠き４９２が設けられて他の部分よりも細くなっている。これによって両側壁４０９、４０９は、結合部４９１で基準壁３０８に対して折り曲げ可能に設けられている。
【００７０】
また底壁４１０は、空間Ｓの下側を塞ぐようにポケット本体６の左右方向Ａに延在した矩形状に形成されている。さらにこの底壁４１０は、基準壁４０８との結合部４１１に全体にわたって切欠き（図示せず）が設けられて他の部分よりも細くなっている。これによって底壁４１０は、結合部４１１で基準壁４０８に対して折り曲げ可能に設けられている。
【００７１】
一方、表皮４３には、収容部材４０７のすぐ下側に収容部材４０７の底壁４１０を係止するストッパ突起４２０が設けられている。このストッパ突起４２０によって底壁４１０は空間Ｓの下側を塞ぐように折り曲げられた状態で支持されており、この結果、収容部材４０７の形が維持されている。
【００７２】
かかる構成において、収容部材４０７の基準壁４０８の上縁４８２に一方のつるを引っ掛けて眼鏡１０を空間Ｓ内に収容するか、または眼鏡１０を底壁４１０に載置して空間Ｓ内に収容することにより、眼鏡１０を収容部材４０７で保護することができる。
【００７３】
このため、乗員の膝等がシート材６１に接触しても、ポケット本体６内に収容されている他の物品に眼鏡があたって傷ついたりレンズが割れてしまうおそれがない。よって、本実施の形態のシートバックポケット４０５においても眼鏡を安全に収容することができる。
【００７４】
また収容部材４０７は、突出部４８１、４８１がシート材６１の上縁６５に係止されていることから、乗員の膝等がシート材に接触しても収容部材１０７がポケット本体６内の奥に入ってしまうのを防ぐことができる。よって、本実施の形態のシートバックポケット４０５においては、眼鏡をさらに安全に収容することができる。
【００７５】
また収容部材４０７において両側壁４０９、４０９と底壁４１０が基準壁４０８に対して折り曲げ可能に設けられていることから、シートバックポケット４０５の非使用時には、両側壁４０９、４０９と底壁４１０を折り曲げて展開しておくことによりポケット本体６の膨らみを抑えることができる。よって、シートバックポケット４０５の非使用時における見栄えの低下を抑えることができる。
【００７６】
また本実施の形態では、基準壁４０８に引っ掛けることができない眼鏡１０以外のつぶれては困るような物品も、底壁４１０に載置して空間Ｓ内に収容することにより収容部材４０７で保護できるため、安全に収容することができる。よって、本実施の形態のシートバックポケット４０５においては汎用性を高めることができる。
【００７７】
なお本実施の形態では、収容部材４０７を底壁４１０を含めて構成したが、最小限の構成で表皮４３とにより眼鏡を囲むようにすれば良いので、第１の実施の形態や第２の実施の形態と同様に基準壁４０８と側壁４０９、４０９のみで構成しても良い。
【図面の簡単な説明】
【００７８】
【図１】本発明の第１の実施の形態を示す車両用シートの要部縦断面図である。
【図２】ポケット本体内に収容部材を収容した状態を示す縦断面図である。
【図３】シートバックポケットに眼鏡を収容した状態を示す斜視図である。
【図４】本発明の第２の実施の形態を示すシートバックポケットの斜視図である。
【図５】本発明の第３の実施の形態を示すシートバックポケットの斜視図である。
【図６】本発明の第４の実施の形態を示す車両用シートの要部縦断面図である。
【図７】図６においてシートバックポケットの使用時における縦断面図である。
【図８】シートバックポケットに眼鏡を収容した状態を示す斜視図である。
【図９】図８において眼鏡を外した状態での横断面図である。
【図１０】図８において眼鏡を外した状態での縦断面図である。
【図１１】収容部材を展開した状態での縦断面図である。
【図１２】収容部材を展開した状態での横断面図である。
【図１３】本発明の第５の実施の形態を示すシートバックポケットの斜視図である。
【符号の説明】
【００７９】
４    シートバック
４ａ    後面
５    シートバックポケット
６    ポケット本体
７    収容部材
８    基準壁
９    側壁
１０    眼鏡
４３    表皮
６１    シート材
６５    上縁
９１    突出部
１０５    シートバックポケット
１０７    収容部材
１０８    基準壁
１０９    側壁
１９１    突出部
２０５    シートバックポケット
２０７    収容部材
２０８    基準壁
２０９    側壁
２１０    底壁
２８１    突出部
３０５    シートバックポケット
３０７    収容部材
３０８    基準壁
３０９    側壁
３１０    底壁
３１１    結合部
３９１    結合部
４０５    シートバックポケット
４０７    収容部材
４０８    基準壁
４０９    側壁
４１０    底壁
４１１    結合部
４８１    突出部
４９１    結合部
Ｓ    空間
【図１】
2005204818.tif 000003
【図２】
2005204818.tif 000004
【図３】
2005204818.tif 000005
【図４】
2005204818.tif 000006
【図５】
2005204818.tif 000007
【図６】
2005204818.tif 000008
【図７】
2005204818.tif 000009
【図８】
2005204818.tif 000010
【図９】
2005204818.tif 000011
【図１０】
2005204818.tif 000012
【図１１】
2005204818.tif 000013
【図１２】
2005204818.tif 000014
【図１３】
2005204818.tif 000015